(57)【要約】【課題】外側へ飛び散る洗浄水の飛沫の発生を少なくでき、しかも製造が容易となる手洗い付き便器タンクの手洗い鉢を提供する。【解決手段】手洗い鉢３の底部には、内周に排水口３ｂが形成された筒状の排水筒３１が垂設され、この排水筒３１の外周は略垂直に立ち上がる外周面３１ａとなっており、排水筒３１の底面は、外周へ向かい上傾した傾斜面３１ｂとなっている。【選択図】図２
2012225047.tif 000002
【特許請求の範囲】
【請求項１】
手洗い付き便器タンクの手洗い鉢であって、
該手洗い鉢の底部には、内周に排水口が形成された筒状の排水筒が垂設されてなり、
該排水筒の外周は略垂直に立ち上がるとともに、該排水筒の底面は、外周へ向かい上傾した傾斜状に形成されている
ことを特徴とする手洗い付き便器タンクの手洗い鉢構造。
【請求項２】
前記手洗い鉢と排水筒が一体化された陶器製であることを特徴とする請求項１に記載の手洗い付き便器タンクの手洗い鉢構造。
【発明の詳細な説明】
【技術分野】
【０００１】
本発明は、手洗い付き便器タンクの手洗い鉢の構造に関するものである。
【背景技術】
【０００２】
従来、特許文献１に開示されているような手洗い付き便器タンク装置が存在する。
この手洗い付き便器タンク装置においては、貯水槽の上方に配置される水受け蓋手段（手洗い鉢）の裏側に、導流穴の内径より大きな径を有する水返し手段（リブ）を導流穴の周囲に設けて、この水返し手段（リブ）により、導流穴から水受け蓋手段（手洗い鉢）の裏面に沿って外側へ広がろうとする伝い水を防ぎ、導流穴から貯水槽へ流下する水が、貯水槽外に漏水することなく、貯水槽内に確実に落下するようにしている。
【先行技術文献】
【特許文献】
【０００３】
【特許文献１】特開２０１０−２３６２７６号公報
【発明の概要】
【発明が解決しようとする課題】
【０００４】
上記特許文献１に開示されている手洗い付き便器タンク装置においては、水受け蓋手段（手洗い鉢）の裏側に水返し手段としてのリブを形成させる必要があるため、水受け蓋手段（手洗い鉢）の裏面形状が複雑なものとなり、特に水受け蓋手段（手洗い鉢）を陶器製とする場合には、このようなリブを備えた手洗い鉢の製造が困難なものとなる。
【課題を解決するための手段】
【０００５】
本発明は、外側への飛沫を少なくでき、しかも製造が容易な手洗い付き便器タンクの手洗い鉢構造の提供を目的とし、この目的の少なくとも一部を達成するために以下の手段を採った。
本発明は、手洗い付き便器タンクの手洗い鉢であって、該手洗い鉢の底部には、内周に排水口が形成された筒状の排水筒が垂設されてなり、該排水筒の外周は略垂直に立ち上がるとともに、該排水筒の底面は、外周へ向かい上傾した傾斜状に形成されていることを要旨とする。
【発明の効果】
【０００６】
本発明の手洗い付き便器タンクの手洗い鉢においては、手洗い鉢の底部に垂設された排水筒の外周は略垂直に立ち上がり、排水筒の底面は外周に向かい上傾した傾斜状であるため、排水口から排水筒の底の傾斜状の面を伝い外側へ広がろうとする伝い水は、略垂直に立ち上がった外周面を登ることはできないため、伝い水は傾斜状の面に沿って排水口側に戻され、この排水口側に戻される水の流れにより、排水口から新たに外側へ伝わろうとする水の広がりを抑えることができて、外側への水の飛沫を少なくできるものとなる。
また、排水口下端から傾斜状の面に繋がる部分のアールを大きくしても、外側への飛沫を少なくできるため、アールを大きくすることで手洗い鉢の製造が容易なものとなる。
【０００７】
また、本発明の手洗い付き便器タンクの手洗い鉢において、前記手洗い鉢と排水筒が一体化された陶器製であるものとすることもできる。
陶器製の場合は表面がザラザラしているため、外側へ広がる伝い水が生じやすくなるが、排水筒の外周を略垂直に立ち上がらせ、しかも排水筒の底面を外周に向かい上傾した傾斜状に形成することで、陶器製であっても外側への伝い水の広がりを抑えることができ、外側への水の飛沫を少なくできる。しかも、排水口下端から傾斜状の面に繋がるアール部を大きくできるため、陶器製の手洗い鉢の製造が容易なものとなる。
【図面の簡単な説明】
【０００８】
【図１】手洗い付き便器タンクの要部正面構成図である。
【図２】図１のＡ線断面図である。
【図３】手洗い鉢の底部に垂設された排水筒の部分の拡大図である。
【図４】傾斜面を有さない排水筒の部分の拡大図である。
【図５】図３の傾斜面を有する排水筒と、図４の傾斜面を有さない排水筒との飛沫量の比較図である。
【図６】図３の傾斜面を有する排水筒と、図４の傾斜面を有さない排水筒との飛沫量の比較図である。
【発明を実施するための形態】
【０００９】
次に、本発明を実施するための形態を実施例を用いて説明する。
図１は、手洗い付き便器タンクの要部正面構成図であり、図２は、図１のＡ線断面構成図である。
【００１０】
手洗い付き便器タンク１は、図示しない便器の後方に立設されたロータンク本体２の上面に、手洗い鉢３が載置されて構成されている。
この手洗い鉢３は鉢面３ａを有し、この鉢面３ａに吐水するために、吐水口４ａを備えた手洗い吐水管４が手洗い鉢３の後部中央部に取り付けられている。
手洗い鉢３の鉢面３ａの底部には、下方側へ突出して一体状に排水筒３１が垂設されており、この排水筒３１を含めて手洗い鉢３全体は陶器製のものである。
【００１１】
なお、ロータンク本体２の側面には、図示しない便器側へ洗浄水を流出させる際に操作する操作レバー５が設けられており、このロータンク本体２の内部には、洗浄水を貯水するための貯水タンク６が設けられ、この貯水タンク６の開放された上面には、内蓋７が配置されている。
この内蓋７には、上面が開放された凹部７ａが形成され、この凹部７ａの上方に手洗い鉢３の排水筒３１が位置するように、手洗い鉢３はロータンク本体２上に着脱可能に載置される。
【００１２】
内蓋７の凹部７ａの前面側には、排出口７ｂが形成されており、この排出口７ｂは傾斜状の傾斜前壁７１の下端側に形成されたものであり、また、凹部７ａは、この傾斜前壁７１と後壁７２と後方側から前方側へ下傾した底壁７３に囲まれた空間として形成されたものである。また、傾斜前壁７１の上端には、前方側へ略水平に延びる水平壁７４が形成され、水平壁７４の前端には、垂直に立ち上がる立ち壁７５が形成されている。
この水平壁７４が貯水タンク６上に載置されて、貯水タンク６の上面を覆うように内蓋７が配置されている。
【００１３】
手洗い吐水管４の吐水口４ａから吐水された洗浄水は、手洗い鉢３の鉢面３ａ上で手洗いに供され、排水筒３１の内周に形成された排水口３ｂを通り下方側へ流出して、内蓋７の凹部７ａ内に流れ落ち、凹部７ａの排水口７ｂから洗浄水は貯水タンク６内に流れ落ちて、貯水タンク６内に洗浄水が溜められる。
【００１４】
本例における手洗い鉢３の排水筒３１の部分を拡大して図３（図２の円内の拡大）に示す。
図３に示すように、鉢面３ａの底部には一体状に排水筒３１が垂設されており、この排水筒３１の内周面が鉢面３ａと連通する排水口３ｂとなっている。
この排水筒３１の外周面３１ａは略垂直に立ち上がった面となっており、外周面３１ａの下端には傾斜面３１ｂが連続して形成されている。傾斜面３１ｂは、排水筒３１の底面において排水口３ｂ側から外周面３１ａに向かい上傾した傾斜状の面となっており、この傾斜面３１ｂの水平面に対する傾斜角度αは、本例では３９°となっている。なお、この傾斜角度αは３０°〜４５°の範囲に設定することが好ましい。
【００１５】
なお、排水口３ｂの下端には、傾斜面３１ｂに連続してアール部３１ｃが形成されており、このアール部３１ｃは半径２ｍｍ以下のアール状に形成したものである。
このような形状の排水筒３１としたことにより、鉢面３ａから排水口３ｂに流れ落ちる洗浄水の一部は、アール部３１ｃから傾斜面３１ｂを伝って外側へ伝い水となって広がるが、外側へ広がった伝い水は略垂直に立ち上がった外周面３１ａを登ることはできないために、伝い水は傾斜面３１ｂに沿って排水口３ｂ側、即ち内側へ戻されることとなり、この戻される水の流れにより、新たに排水口３ｂから外側に広がろうとする伝い水の発生を良好に抑えることができ、伝い水を良好に内側に戻して、外側への洗浄水の飛沫を極めて少なくすることができる。
なお、アール部３１ｃの半径を大きくすることができ、アール部３１ｃを大きくできるために陶器としての手洗い鉢３の製造が容易なものとなる。
【００１６】
なお、排水筒３１の下方側へ延びる長さを大にして、内蓋７の凹部７ａ内まで排水筒３１を延ばせば、確実に洗浄水を凹部７ａ内に入れることができるが、手洗い鉢３は陶器製であるため、排水筒３１を長くすることは製造上難しく、排水筒３１を短くして製造する関係上、排水筒３１の底側での外側へ広がる伝い水による飛沫を少なくして、確実に内蓋７の凹部７ａ内に洗浄水を流出させる必要があるのである。
【００１７】
なお、比較のために、図４において、傾斜面３１ｂを有さない排水筒３１を備えた手洗い鉢３について説明する。
図４の排水筒３１では、排水筒３１の底面３１ｄは略水平な面となっており、排水口３ｂの下端からこの底面３１ｄを伝い、外側へ伝い水が発生して、外側へ水の飛沫が飛び散り、洗浄水の全部を良好に内蓋７の凹部７ａ内に流出できないこととなる。
外側への洗浄水の飛沫の発生を防ぐためには、排水口３ｂの下端から底面３１ｂに繋がるアール部３１ｃを極めて小さい半径にして、外側への伝い水の発生を少なくする方策を採ることとなる。そのため図４の排水筒３１では、アール部３１ｃのアールは半径１．２ｍｍ以下にしないと、外側への洗浄水の飛沫をなくすことができない。
このように図４に示す排水筒３１の形状では、アール部３１ｃの半径を小さくする必要があるため、陶器での製造が困難を伴うものとなる。
【００１８】
この図４に示す排水筒３１の性能と、図３に示す傾斜面３１ｂを有する排水筒３１の性能とを比較するため、排水筒３１の下端から外側へ飛び散る水の飛沫量を測定した結果を図５および図６に示す。
図５は、手洗い吐水管４の吐水口４ａから１分間に２リットルの水を吐水させた場合の飛沫量の測定結果であり、図６は、吐水口４ａから１分間に４リットルの水を吐水させた場合の飛沫量の測定結果である。
なお、飛沫量は、手洗い吐水管４の吐水口４ａから吐水させ、手洗い鉢３の鉢面３ａ上で手洗いを開始してから手洗い終了後まで手洗い動作を行った時の、内蓋７に飛沫した飛沫量を測定したものである。
また、手洗い鉢３のロータンク本体２に対する取り付け状態を、水平，前方傾斜３°，後方傾斜３°，左傾斜３°にして、それぞれの場合の、内蓋７に飛沫した飛沫量を測定したものである。
【００１９】
図５および図６に示すように、図４の傾斜面３１ｂを有さない排水筒３１の形状では飛沫の量が多いが、図３の傾斜面３１ｂを有する排水筒３１の形状では飛沫の量（斜線で示す）が少ないものとなっており、図３の形状の排水筒３１では、外側への飛沫の低減効果が確認できる。
【符号の説明】
【００２０】
１  手洗い付き便器タンク
２  ロータンク本体
３  手洗い鉢
３ａ  鉢面
３ｂ  排水口
４  手洗い吐水管
４ａ  吐水口
５  操作レバー
６  貯水タンク
７  内蓋
７ａ  凹部
７ｂ  排出口
３１  排水筒
３１ａ  外周面
３１ｂ  傾斜面
３１ｃ  アール部
３１ｄ  底面
【図１】
2012225047.tif 000003
【図２】
2012225047.tif 000004
【図３】
2012225047.tif 000005
【図４】
2012225047.tif 000006
【図５】
2012225047.tif 000007
【図６】
2012225047.tif 000008